(57)【要約】【課題】筆記具に使用されるグリップ部を軸方向に収縮することにより径方向に膨出する膨出部を形成しうる技術において、複数の膨出部を安定して形成しうると共に上記膨出部の膨出量を安定して変化させうる硬さ調整可能なラバーグリップ構造を提供すること。【解決手段】軸方向に収縮して径方向に膨出する複数の膨出部を形成しうる筒状に形成されたグリップ部が装着された筆記具のラバーグリップ構造であって、上記グリップ部の内周面には、短筒状に形成された保持リング部が周方向に沿って固定されると共に軸方向に沿って所定間隔寸法をおいて複数配置されている。【選択図】図２
2010155368.tif 000002
【特許請求の範囲】
【請求項１】
軸方向に収縮して径方向に膨出する複数の膨出部を形成しうる筒状に形成されたグリップ部が装着された筆記具のラバーグリップ構造であって、
上記グリップ部の内周面には、短筒状に形成された保持リング部が周方向に沿って固定されると共に軸方向に沿って所定間隔寸法をおいて複数配置されていることを特徴とするラバーグリップ構造。
【請求項２】
上記グリップ部の内周面には、所定の幅寸法を有する凹面部と平面部とが周方向全域に亘って形成されると共に軸方向に沿って所定間隔寸法をおいて交互に複数形成され、
上記保持リング部は、上記平面部に固定されていることを特徴とする請求項１記載のラバーグリップ構造。
【請求項３】
軸方向に沿ってスライドしうるスライド部材と、上記スライド部材を係止して回転することにより上記スライド部材を軸方向にスライドさせる回転ホルダー部とを有することを特徴とする請求項１記載のラバーグリップ構造。
【請求項４】
上記スライド部材及び上記回転ホルダー部は筒状に形成され、
上記スライド部材には上記回転ホルダー部に係止しうる係止部が形成され、
上記回転ホルダー部には周面上に沿って軸方向に沿って傾斜して配置され上記係止部を係止しうる傾斜部が軸方向全域に亘って形成され、
上記傾斜部には、上記係止部を保持しうる保持部が所定間隔を置いて複数形成されていることを特徴とする請求項３記載のラバーグリップ構造。
【請求項５】
上記スライド部材は、付勢部材により後端部方向へ付勢されうることを特徴とする請求項４記載のラバーグリップ構造。
【発明の詳細な説明】
【技術分野】
【０００１】
本発明はラバーグリップ構造に係り、特に、筆記具の把持部として構成されるグリップにおいて、グリップの硬さ調整を可能とするラバーグリップ構造に関する。
【０００２】
従来、筆記具のグリップを軸方向に沿って伸縮させることにより、筆記具のグリップの硬度を変化させたり、グリップの径の太さ寸法を調整できる様々な筆記具のグリップが提案されている。
例えば、筆記具に装着可能なグリップにおいて、弾性素材を用いて径方向に膨出する複数の膨出部を有する蛇腹形状に構成され、筆記具に装着したグリップを軸方向に伸縮させて、グリップに形成された複数の膨出部の膨出量を調整しうる技術が提案されている（特許文献１）。
しかしながら、特許文献１に記載されている技術においては、装着したグリップを保持して固定する手段を有しておらず、筆記時に、グリップに形成された複数の膨出部を安定して握持できない可能性を有している。
また、特許文献１に記載されているグリップは、単に、蛇腹状に形成されているのみであることから、伸縮させる場合に、複数の膨出部の形状がその都度夫々異なる形状に形成される可能性があり、グリップに形成される複数の膨出部が均等に形成されていない場合には、安定して筆記具を把持できない可能性がある。
【０００３】
また、グリップを外側へ膨出変形させうる３つの張り部材がグリップの内側に軸方向に沿うように配置される構成により、上記３つの部材の端部をカム機構を用いて筆記具の先端側へ押圧して上記３つの張り部材を外側へ撓ませて、グリップを径方向へ膨張させることによりグリップの径の太さ寸法を調整しうる技術が提案されている（特許文献２）。
特許文献２に記載されている技術においては、上記グリップの膨出形状を上記カム機構により安定して形成することができる。
しかしながら、特許文献２に記載されている技術は、グリップを径の太さを調整する技術であって、上記３つの張り部材によりグリップの硬度を変化させるものではないことから、グリップの硬さ調整しうる技術ではない。
また、特許文献１に記載されている技術に、特許文献２に記載されているカム機構により膨出部を形成する技術を適用した場合には、カム機構によりグリップを伸縮させて、グリップの蛇腹形状を安定して変形形成させる技術としては成立するが、複数の均等な膨出部を安定して形成できない可能性を有しているという問題点は残存しており、グリップの膨出部が安定して形成されていない場合には、安定して筆記具を把持できない可能性がある。
【０００４】
【特許文献１】実開平５−１６３８３号
【特許文献２】特開２０００−３１３１９３号
【発明の開示】
【発明が解決しようとする課題】
【０００５】
そこで本発明の課題は、筆記具に使用されるグリップ部を軸方向に収縮することにより径方向に膨出する膨出部を形成しうる技術において、複数の膨出部を安定して形成しうると共に上記膨出部の膨出量を安定して変化させうる硬さ調整可能なラバーグリップ構造を提供することにある。
【課題を解決するための手段】
【０００６】
請求項１記載の発明は、軸方向に収縮して径方向に膨出する複数の膨出部を形成しうる筒状に形成されたグリップ部が装着された筆記具のラバーグリップ構造であって、上記グリップ部の内周面には、短筒状に形成された保持リング部が周方向に沿って固定されると共に軸方向に沿って所定間隔寸法をおいて複数配置されていることを特徴とする。
従って、上記グリップ部の内周面には、短筒状に形成された保持リング部が周方向に沿って固定されると共に軸方向に沿って所定間隔寸法をおいて複数配置されていることから、上記保持リング部により上記複数の膨出部を安定して形成できると共に上記膨出部の膨出量を安定して変化させることができる。
【０００７】
請求項２記載の発明は、上記グリップ部の内周面には、所定の幅寸法を有する凹面部と平面部とが周方向全域に亘って形成されると共に軸方向に沿って所定間隔寸法をおいて交互に複数形成され、上記保持リング部は、上記平面部に固定されていることを特徴とする。
従って、上記グリップ部の内周面には、所定の幅寸法を有する凹面部と平面部とが周方向全域に亘って形成されると共に軸方向に沿って所定間隔寸法をおいて交互に複数形成され、上記保持リング部は、上記平面部に固定されていることから、より上記複数の膨出部を安定して形成できると共に上記膨出部の膨出量を安定して変化させることができる。
【０００８】
請求項３記載の発明は、軸方向に沿ってスライドしうるスライド部材と、上記スライド部材を係止して回転することにより上記スライド部材を軸方向にスライドさせる回転ホルダー部とを有することを特徴とする。
従って、軸方向に沿ってスライドしうるスライド部材と、上記スライド部材を係止して回転することにより上記スライド部材を軸方向にスライドさせる回転ホルダー部とを有することから、簡易な手段により容易にグリップ部を伸縮させることができる。
【０００９】
請求項４記載の発明は、上記スライド部材及び上記回転ホルダー部は筒状に形成され、上記スライド部材には上記回転ホルダー部に係止しうる係止部が形成され、上記回転ホルダー部には周面上に沿って軸方向に沿って傾斜して配置され上記係止部を係止しうる傾斜部が軸方向全域に亘って形成され、上記傾斜部には、上記係止部を保持しうる保持部が所定間隔を置いて複数形成されていることを特徴とする。
従って、上記スライド部材には上記回転ホルダー部に係止しうる係止部が形成され、上記回転ホルダー部には周面上に沿って軸方向に沿って傾斜して配置され上記係止部を係止しうる傾斜部が軸方向全域に亘って形成され、上記傾斜部には、上記係止部を保持しうる保持部が所定間隔を置いて複数形成されていることことから、上記スライド部材を所定の位置において保持しうると共に上記スライド部材を段階的に先端部側へ移動させることができる。
【００１０】
請求項５記載の発明は、上記スライド部材は、付勢部材により後端部方向へ付勢されうることを特徴とする。
従って、上記スライド部材は付勢部材の付勢力により後端部方向へ付勢されうることから、上記付勢部材の付勢力により上記係止部が上記傾斜部の上記各保持部の間に位置することなく所定の上記保持部に確実に保持されるので、形成された上記複数の膨出部を安定して保持することができる。
また、上記スライド部材を後端部方向へ移動させる場合、付勢力によって上記スライド部材をスムーズに移動させることができる。
【発明の効果】
【００１１】
請求項１記載の発明にあっては、上記グリップ部の内周面には、短筒状に形成された保持リング部が周方向に沿って固定されると共に軸方向に沿って所定間隔寸法をおいて複数配置されていることから、上記保持リング部により上記複数の膨出部を安定して形成できると共に上記膨出部の膨出量を安定して変化させることができる硬さ調整可能なラバーグリップ構造を提供することができる。
その結果、使用者の好みに応じた硬さのグリップ部を有する筆記具を提供することができる。
また、長時間連続して筆記する場合、指の疲労度に応じてグリップ部の硬さを適宜調整することができ、長時間連続して筆記しても疲れにくい筆記具を提供することができる。
【００１２】
請求項２記載の発明にあっては、上記グリップ部の内周面には、所定の幅寸法を有する凹面部と平面部とが周方向全域に亘って形成されると共に軸方向に沿って所定間隔寸法をおいて交互に複数形成され、上記保持リング部は、上記平面部に固定されていることから、より上記複数の膨出部を安定して形成できると共に上記膨出部の膨出量を安定して変化させることができる硬さ調整可能なラバーグリップ構造を提供することができる。
【００１３】
請求項３記載の発明にあっては、軸方向に沿ってスライドしうるスライド部材と、上記スライド部材を係止して回転することにより上記スライド部材を軸方向にスライドさせる回転ホルダー部とを有することから、簡易な手段により容易にグリップ部を伸縮させることができる硬さ調整可能なラバーグリップ構造を提供することができる。
【００１４】
請求項４記載の発明にあっては、上記スライド部材には上記回転ホルダー部に係止しうる係止部が形成され、上記回転ホルダー部には周面上に沿って軸方向に沿って傾斜して配置され上記係止部を係止しうる傾斜部が軸方向全域に亘って形成され、上記傾斜部には、上記係止部を保持しうる保持部が所定間隔を置いて複数形成されていることから、上記スライド部材を所定の位置において保持しうると共に上記スライド部材を段階的に先端部側へ移動させることにより、上記グリップ部の膨出部の膨出量を段階的に変化させることができると共に上記膨出部の形状を安定して保持することができる硬さ調整可能なラバーグリップ構造を提供することができる。
【００１５】
請求項５記載の発明にあっては、上記スライド部材は付勢部材の付勢力により後端部方向へ付勢されうることから、上記付勢部材の付勢力により上記係止部が上記傾斜部の途中で保持停止することなく所定の上記保持部に保持されるので、形成された上記複数の膨出部を安定して保持することができる硬さ調整可能なラバーグリップ構造を提供することができる。
また、上記スライド部材を後端部方向へ移動させる場合、上記スライド部材をスムーズに移動させることができるラバーグリップ構造を提供することができる。
【発明を実施するための最良の形態】
【００１６】
以下、本発明の実施の形態について説明する。
図１（ｂ）に示すように、本発明に係るラバーグリップ構造１０は、軸方向に収縮して径方向に膨出する複数の膨出部１１を形成しうる筒状に形成されたグリップ部１２が装着された筆記具１３のラバーグリップ構造１０であって、上記グリップ部１２の内周面には、図２に示すように、短筒状に形成された保持リング部１４が周方向に沿って固定されると共に軸方向に沿って所定間隔寸法をおいて複数配置されている。
また、上記グリップ部１２の内周面には、所定の幅寸法を有する凹面部１５と平面部１６とが周方向全域に亘って形成されると共に軸方向に沿って所定間隔寸法をおいて交互に複数形成され、上記保持リング部１４は、上記平面部１６に固定されている。
また、図２及び図４に示すように、軸方向に沿ってスライドしうるスライド部材１７と、上記スライド部材１７を係止して回転することにより上記スライド部材１７を軸方向にスライドさせる回転ホルダー部１８とを有している。
また、図４に示すように、上記スライド部材１７及び上記回転ホルダー部１８は筒状に形成され、上記スライド部材１７には上記回転ホルダー部１８に係止しうる係止部１９が形成され、上記回転ホルダー部１８には周面上に沿って軸方向に沿って傾斜して配置され上記係止部１９を係止しうる傾斜部２０が軸方向全域に亘って形成され、上記傾斜部２０には、上記係止部１９を保持しうる保持部２１が所定間隔をおいて複数形成されている。
また、図２に示すように、上記スライド部材１７は、付勢部材２２により後端部方向へ付勢されうるように構成されている。
【実施例】
【００１７】
以下に、本発明に係るラバーグリップ構造１０の実施例について、詳細を説明する。
図１に示すように、本実施例に係るラバーグリップ構造１０は、筆記具１３としてのシャープペンシルに適用したものである。
図２に示すように、本実施例に係るシャープペンシル１３は、円筒状に形成された軸筒部２３と、上記軸筒部２３の先端部に螺合された先端部２４ａとホルダー部２４ｂにより構成された筆先部２４と、上記軸筒部２３の軸方向に沿って内装された細筒状の芯挿入管部２５と、上記軸筒部２３の後端部に配置されたノック尾栓部２６と、上記ノック尾栓部２６を押圧することにより上記筆先部２４から芯を繰り出しうる芯繰り出し機構部２８と、上記軸筒部２３の後端部に固定されると共に外表面において軸方向に沿って配置されたクリップ部２７と、上記軸筒部２３の軸方向略中央部から先端部に亘って上記軸筒部２３の外表面に沿って配置された軸方向に収縮しうるグリップ部１２を有するラバーグリップ構造１０とにより構成されている。
【００１８】
また、図２及び図４に示すように、上記軸筒部２３は、軸方向略中央部から先端部に亘って形成された小径筒状の小筒部２９と、上記小筒部２９より大きい径寸法により形成されると共に軸方向略中央部から後端部に亘って形成された大筒部３０とにより形成され、上記小筒部２９と上記大筒部３０との間の軸方向略中央部には、上記小筒部２９より大きいと共に上記大筒部３０より小さい径寸法により形成された短筒状の取り付け段差部３１が形成されている。
また、上記小筒部２９の外表面上には、上記取り付け段差部３１の端面から軸方向に沿って所定の長さ寸法により形成された細幅状の突状係止部３３が形成されている。また、上記突状係止部３３は上記小筒部２９の径方向に沿って２本形成されている。
【００１９】
また、図２に示すように、上記ノック尾栓部２６は、円筒状に形成された消しゴムホルダー部３４と、上記消しゴムホルダー部３４の後端部に取り付けられた円柱状の消しゴム３５と、上記消しゴム３５を上記消しゴムホルダー部３４に取り付けて後端部を閉止しうる一方の端部が閉止された円筒状の消しゴム蓋部３６とにより構成されている。
また、上記消しゴムホルダー部３４は、先端部の内周径寸法が上記芯挿入管部２５の外周端面に係合しうる径寸法に形成されると共に、後端部の外周径寸法が上記軸筒部２３の後端部と略同一径寸法に形成されている。
また、図４に示すように、上記小筒部２９の先端部には、芯繰り出し機構部２８が内装され、図２に示すように、シャープペンシル１３として構成された場合に、上記芯挿入管部２５の後端部に装着されたノック尾栓部２６を押圧する毎に上記芯繰り出し機構部２８により、上記筆先部２４の先端部から芯が繰り出されるように構成されている。ここで、本実施例に係るシャープペンシル１３における芯繰り出し機構部２８については、一般的な芯繰り出し機構と同様であることから説明については省略する。
【００２０】
また、本実施例に係るラバーグリップ構造１０は、図１（ｂ）及び図３に示すように、軸方向に収縮して径方向に膨出する３本の膨出部１１を形成しうる弾性を有するゴム材質により形成された筒状のグリップ部１２が、図２に示すように、上記軸筒部２３の小筒部２９の外周面に沿って配置されている。
また、図２に示すように、上記グリップ部１２の先端部は、上記筆記具１３の筆先部２４に一方の端部が当接するように配置された短筒状の受け部材３７の他方の端部に当接するように配置され、上記グリップ部１２が後端部側から押圧された場合であっても、上記グリップ部１２の先端部は先端部方向へ移動しないように構成されている。
また、上記グリップ部１２の内周面には、図２に示すように、所定の幅寸法を有して周方向全域に亘って外周面方向に凹む軸断面略三角形状の凹面部１５が形成され、軸方向に沿って同一の所定間隔寸法をおいて３本の上記凹面部１５ａ，１５ｂ，１５ｃが形成されている。
【００２１】
また、図２に示すように、上記グリップ部１２の内周面には、軸方向に沿って上記凹面部１５ａ，１５ｂ，１５ｃと交互に３つ形成され、所定の長さ寸法を以って周方向全域に亘って形成されると共に上記小筒部２９の外周面に沿うように配置された平面部１６が形成されている。
また、上記平面部１６として、上記凹面部１５ａ，１５ｂ，１５ｃの間に形成されると共に上記凹面部１５ａ，１５ｂ，１５ｃの間隔寸法と同一の長さ寸法により形成された２つの平面部１６ａ，１６ｂと、上記後端部側に形成されている上記凹面部１５ｃの端部から軸方向後端部にかけて形成される平面部１６ｃとの３つが形成されている。
また、上記平面部１６の長さ方向略中央部には、周方向全域に亘って凹溝部３８が形成されている。
【００２２】
また、上記グリップ部１２の内周面には、短筒状に形成されると共に外周面の幅方向中央部に周方向全域に亘って突状部３９が形成され、上記凹溝部３８と係合しうる保持リング部１４が上記平面部１６に沿って固定され、軸方向に沿って３個配置されている。
また、上記３個の保持リング部１４は略同一の長さ寸法に形成され、上記凹溝部３８が上記突状部３９に係合されることにより上記平面部１６上に固定され、上記３つの凹面部１５の間に形成された２つの平面部１６ａ，１６ｂに固定される第一の保持リング部１４ａ，１４ｂと、上記グリップ部１２の後端部側の平面部１６ｃに固定されると共に上記グリップ部１２の後端部側から押圧力を作用させうる第二の保持リング部１４ｃとを有している。
また、上記第一の保持リング部１４ａ，１４ｂは上記小筒部２９の周囲に近接して配置されうる内径寸法に形成され、上記第二の保持リング部１４ｃは上記小筒部２９の外径寸法と略同一の内径寸法に形成されている。
【００２３】
また、図２及び図４に示すように、本実施例に係るラバーグリップ構造１０は、軸方向に沿ってスライドしうるスライド部材１７と、上記スライド部材１７を係止して回転することにより上記スライド部材１７を軸方向にスライドさせる回転ホルダー部１８とを有している。
また、図４に示すように、上記スライド部材１７は、所定の長さ寸法を有すると共に上記小筒部２９の外径寸法と略同一の内径寸法により筒状に形成され、後端外周面部には上記グリップ部１２の後端部を係止しうるように周方向全域に亘って外方へ張り出した肉厚短筒部４０が形成され、上記肉厚短筒部４０上には上記回転ホルダー部１８に係止しうる外方に突出する係止部１９が径方向に沿って２つ形成されている。
また、上記係止部１９は、図２に示すように、曲線部側が上記スライド部材１７の後端部側に形成された図４に示すような突形状に形成されている。
また、図４に示すように、上記スライド部材１７の内面部には、上記小筒部２９の上記突状係止部３３と係止しうる切り欠き溝部４１が軸方向に沿って上記スライド部材１７の後端部から先端部の手前まで形成され、上記切り欠き溝部４１は互いに対向するように上記スライド部材１７の径方向に沿って２つ形成されている。
そして、上記スライド部材１７に上記小筒部２９を挿通させることにより、上記小筒部２９の上記突状係止部３３が上記切り欠き溝部４１に係止されて、上記スライド部材１７は軸方向に沿ってスライドしうるように構成されている。
【００２４】
また、図４に示すように、上記回転ホルダー部１８は円筒状に形成され、後端部に上記取り付け段差部３１が挿入されることによって、上記軸筒部２３に対して回転可能に取り付けられている。
また、図４及び図５に示すように、上記回転ホルダー部１８の内周面には軸方向に対して傾斜する上記係止部１９を係止しうる薄厚状の傾斜部２０が周方向に沿って軸方向略全域に亘って形成され、上記傾斜部２０には、上記係止部１９を保持しうる４つの保持部２１ａ，２１ｂ，２１ｃ，２１ｄが所定間隔を置いて形成されている。
また、図５に示すように、上記傾斜部２０は、上記傾斜部２０の一方の端部４３と隣接する傾斜部２０の他方の端部４４とが軸方向に沿って形成される直線部４５を介して接続されることにより２つ形成され、上記２つの係止部１９を係止しうるように上記回転ホルダー部１８の中心軸に対して点対称に形成されている。
また、上記斜面部２０の端部に連設されるように上記係止部１９の移動を規制する壁部４６が軸方向略全域に亘って形成されている。
また、図２に示すように、付勢部材としてのコイルスプリング２２が上記小筒部２９の外周面に近接して配置され、上記コイルスプリング２２の先端部が上記筆先部２４の後端部に当接すると共に後端部が後端部側に配置される保持リング部材１６ｃに当接しうる長さ寸法に形成されて配置されている。
また、上記コイルスプリング２２の後端部は後端部側に配置される保持リング部材１６ｃを介してスライド部材１７及びグリップ部１２を後端部方向へ付勢するように構成されている。
【００２５】
以下、本実施例の作用について説明する。
本実施例に係るラバーグリップ構造１０を備えたシャープペンシル１３を使用する場合には、図１又は図３（ａ）〜（ｃ）に示すように、グリップ部１２に径方向に膨出する３本の膨出部１１の膨出量を変化させて形成することにより、グリップ部１２の硬さを調整した後に、好みの硬さのグリップ部１２を把持して筆記する。
グリップ部１２に３本の膨出部１１を形成させる場合には、まず、図２に示す回転ホルダー部１８を筆記具１３の後端部側から見て反時計回り方向に回動させる。
この場合、回転ホルダー部１８の内周面に形成された傾斜部２０に係止された係止部１９が傾斜部２０に沿うように移動すると共に上記スライド部材１７の切り欠き溝部４１が小筒部２９の突状係止部３３に係止されていることから、上記スライド部材１７は軸方向に沿って先端部方向へ移動する。
その結果、上記スライド部材１７の先端面部は後端部側に配置されている保持リング部１４ｃの後端面部に当接していると共に上記スライド部材１７の肉厚短筒部４０の端面部が上記グリップ部１２の後端面部に当接し、かつ、上記グリップ部１２の先端部は受け部材３７に当接していることから、上記スライド部材１７は上記グリップ部１２に固定された上記保持リング１４ｃを介して上記グリップ部１２を筆記具１３の先端部方向に収縮させると共に上記グリップ部１２の後端部が上記スライド部材１７の肉厚短筒部４０に押圧されることにより上記グリップ部１２を筆記具１３の先端部方向に収縮させる。
【００２６】
この場合、図４及び図５に示すように、上記斜面部２０には、階段状に上記係止部１９を保持しうる保持部２１が４つ形成されていることから、図５に示すように、第一段階の移動として、上記係止部１９が保持部２１ａの位置から保持部２１ｂの位置へ移動し、具体的にシャープペンシル１３に適用した場合には、図２に示すような上記係止部１９が上記保持部２１ａに保持されている状態から、図３（ａ）に示すような上記係止部１９が上記保持部２１ｂに保持固定される状態へ移行して、上記係止部１９は上記保持部２１ｂに保持固定される。
その結果、図３（ａ）に示すように、上記保持部２１ａから保持部２１ｂへ移動した軸方向への移動寸法の距離分、上記グリップ部１２は軸方向へ押圧されて収縮する。
この場合、上記グリップ部１２は弾性を有するゴム材料により形成され、上記グリップ部１２の内周面には、所定の幅寸法を有して周方向全域に亘って形成された軸断面略三角形状の凹面部１５が軸方向に等間隔に３つ形成されていると共に、上記凹面部１５に隣接するように小筒部２９の外周面に沿うように近接して形成された平面部１６には略同一の長さ寸法の短筒状に形成された保持リング部１４が固定されていることから、上記グリップ部１２が後端部側からの押圧力により軸方向に収縮した場合に、細幅状に形成されると共に径方向に膨出する同一形状の３本の膨出部１１を周方向全域に亘って形成することができる。
従って、上記回転ホルダー部１８の回動操作により、容易に上記グリップ部１２を収縮させることができ、上記グリップ部１２の内周面には上記凹面部１５と上記平面部１６に固定された３つの上記保持リング部１４を有する構成であることから、グリップ部１２を軸方向に収縮させることにより上記３本の膨出部１１を安定した状態で容易に形成することができる。
また、上記係止部１９は上記保持部２１ｂに保持されていることから、上記のように形成された上記３本の膨出部１１の形状を保持できるので、上記クリップ部１２の所定の硬度を安定して保持することができる。
その後、３本の上記膨出部１１が形成されたグリップ部１２が装着されたシャープペンシル１３を把持して筆記する。
この場合、上記膨出部１１は径方向に膨出すると共に弾性を有するゴム材料により形成されていることから、図３（ａ）に示すように、各膨出部１１においては、小筒部２９の外側面部との間に肉厚部４７を形成することができるため、使用者がグリップ部１２を握持した場合の握持力を吸収させることができる。
【００２７】
その後、より握持力を吸収させたい場合には、更に、上記回転ホルダー部１８を筆記具１３の後端部側から見て反時計回り方向に回動させる。
この場合、図５に示すような上記係止部１９を保持部２１ｂの位置から保持部２１ｃの位置、保持部２１ｃの位置から保持部２１ｄの位置へと順次移動させて上記グリップ部１２の後端部をスライド部材１７により押圧することにより、段階的に上記グリップ部１２に形成される膨出部１１の膨出量を増大させて上記グリップ部１２における握持力の吸収のレベルを大きくすることができる。
具体的には、上記回転ホルダー部１８の回動操作により、図３（ａ）に示すような上記係止部１９が上記保持部２１ｂに保持されている状態から、図３（ｂ）に示すような上記係止部１９が上記保持部２１ｃに保持される状態、図３（ｃ）に示すような上記係止部１９が上記保持部２１ｄに保持される状態へ順次移行させることにより、上記係止部１９は夫々の位置において上記保持部２１ｂ，２１ｃ，２１ｄに保持させることができる。
この場合、上記係止部１９の軸方向への移動寸法の距離分、上記グリップ部１２は軸方向に押圧されて収縮する。
その結果、上記と同様に、上記グリップ部１２の後端部が押圧された移動距離寸法分収縮して径方向に更に膨出させることができることから、膨出量を増大させた３本の膨出部１１を安定して形成することができ、上記係止部１９は上記保持部２１ｂ，２１ｃ又は２１ｄに保持されていることから、上記のように形成された上記３本の膨出部１１の形状を保持できるので、上記クリップ部１２の上昇した握持力の吸収のレベルを安定して維持することができる。
このように順次膨出部１１の膨出量を増大させた場合、上記グリップ部１２は弾性を有するゴム材料により形成されていることから、膨出部１１の径方向への膨出量が大きい程、より上記グリップ部１２における握持力の吸収のレベルを大きくすることができる。
本実施例の場合、図３（ｂ）に示すような上記係止部１９が保持部２１ｃに係止されている場合には、図３（ａ）に示すような上記係止部１９が保持部２１ｂに係止されている場合に比して上記膨出部１１の径方向への膨出量が大きいことから上記グリップ部１２における握持力の吸収のレベルは大きく、図３（ｃ）に示すような上記係止部１９が保持部２１ｄに係止されている場合には、図３（ｂ）に示すような上記係止部１９が保持部２１ｃに係止されている場合に比して上記膨出部１１の径方向への膨出量が大きいことから上記グリップ部１２における握持力の吸収のレベルは大きい。
【００２８】
一方、上記回転ホルダー部１８を筆記具１３の後端部側から見て時計回り方向に回動させて上記スライド部材１７を後端部方向へ移動させることにより、収縮した上記グリップ部１２を伸長させ復帰させることができる。
例えば、図３（ｃ）に示すような上記係止部１９が上記保持部２１ｄに係止されて上記膨出部１１が形成されている場合において、上記回転ホルダー部１８を筆記具１３の後端部側から見て時計回り方向に回動させることにより、図３（ｃ）に示すような上記係止部１９が上記保持部２１ｄに係止されている状態から、図３（ｂ）に示すような上記係止部１９が上記保持部２１ｃに係止される状態、図３（ａ）に示すような上記保持部２１ｂに係止される状態、図２に示すような上記保持部２１ａに係止される状態へと順次移行させることにより、スライド部材１７を後端部側に移動させて上記グリップ部１２を伸長させることができる。
この場合、上記回転ホルダー部１８による上記スライド部材１７の移動により、上記グリップ部１２は伸長することから、上記膨出部１１の膨出量は上記スライド部材１７の移動量に応じて縮小される。
このように、上記回転ホルダー部１８を任意の回転方向に回動させることにより、上記スライド部材１７を任意の軸方向へスライドさせて上記グリップ部１２を軸方向へ収縮又は伸長させることができるので、適宜、上記膨出部１１の膨出量を変化させて、上記グリップ部１２の硬さを好みのレベルに調整することができる。
その結果、使用者の好みに応じた硬さのグリップ部１２を有する筆記具１３を提供することができる。
また、長時間連続して筆記する場合、指の疲労度に応じてグリップ部１２の硬さを適宜調整することができ、長時間連続して筆記しても疲れにくい筆記具１３を提供することができる。
【００２９】
また、上記スライド部材１７を軸方向に沿って移動させる場合、コイルスプリング２２は後端部側に配置される保持リング部材１６ｃを介してスライド部材１７及びグリップ部１２を後端部方向へ付勢するように構成されていることから、上記回転ホルダー部１８の回動操作により上記係止部１９が上記傾斜部２０の各保持部２１の間に配置された場合であっても、上記係止部１９は上記傾斜部２０の上記各保持部２１の間に位置することなく、上記コイルスプリング２２の付勢力により上記スライド部材１７が後端部方向へ移動して所定の上記保持部２１ａ，２１ｂ，２１ｃ，２１ｄに確実に保持されるので、上記スライド部材１７の軸方向への移動が停止され、形成された上記３つの膨出部を安定して保持することができる。
また、上記スライド部材１７を後端部方向へ移動させて上記グリップ部１７を平坦な状態は復帰させる場合、上記グリップ部１７の復帰力が弱い場合であっても、上記コイルスプリング２２の付勢力により上記スライド部材１７を後端部側へスムーズに移動させて上記グリップ部１７をスムーズに復帰させることができる。
また、図５に示すように、上記斜面部２０の端部に連設されるように上記係止部１９の移動を規制する壁部４６が軸方向に沿って略全域に亘って形成されていることから、上記スライド部材１７の移動は規制され、上記膨出部１１の膨出量は、図１（ａ）及び図２に示すような膨出部１１が形成されていない状態から、図１（ｂ）及び図３（ｃ）に示すような上記係止部１９が保持部２１ｄに保持されることにより形成される本実施例における最大の膨出量である膨出部１１の膨出量の範囲内に規制される。
また、本実施例においては、本実施例に係るラバーグリップ構造をシャープペンシルに適用した場合を例に説明したが、限定されるものではない。
【産業上の利用可能性】
【００３０】
本発明は、ラバーグリップ構造に係り、特に、筆記具の把持部として構成されるグリップにおいて、グリップを伸縮させることによりグリップの硬さ調整を可能とするラバーグリップ構造に広く適用できる。
【図面の簡単な説明】
【００３１】
【図１】本発明に係るラバーグリップ構造の一実施の形態を示す斜視図であり、（ａ）は膨出部を形成していない状態を示す図、（ｂ）は膨出部を形成している状態を示す図である。
【図２】本発明に係るラバーグリップ構造の一実施の形態を示す断面図である。
【図３】本発明に係るラバーグリップ構造の一実施の形態を示す断面図であり、（ａ）から（ｃ）に至るに従って膨出部の膨出量が大きく形成された状態を段階的に示す図である。
【図４】本発明に係るラバーグリップ構造の一実施の形態を示す斜視図であり、分解した状態を示す図である。
【図５】本発明に係るラバーグリップ構造に係る回転ホルダー部の内周面の展開図を示す図である。
【符号の説明】
【００３２】
１０    ラバーグリップ構造
１１    膨出部
１２    グリップ部
１３    筆記具
１４    保持リング部
１４ａ  第一の保持リング部
１４ｂ  第一の保持リング部
１４ｃ  第二の保持リング部
１５    凹面部
１６    平面部
１６ａ  平面部
１６ｂ  平面部
１６ｃ  平面部
１７    スライド部材
１８    回転ホルダー部
１９    係止部
２０    傾斜部
２１    保持部
２１ａ  保持部
２１ｂ  保持部
２１ｃ  保持部
２１ｄ  保持部
２２    付勢部材
２３    軸筒部
２４    筆先部
２４ａ  先端部
２４ｂ  ホルダー部
２５    芯挿入管部
２６    ノック尾栓部
２７    クリップ部
２８    芯繰り出し機構部
２９    小筒部
３０    大筒部
３１    取り付け段差部
３３    突状係止部
３４    消しゴムホルダー部
３５    消しゴム
３６    消しゴム蓋部
３７    受け部材
３８    凹溝部
３９    突状部
４０    肉厚短筒部
４１    切り欠き溝部
４３    傾斜部の一方の端部
４４    傾斜部の他方の端部
４５    直線部
４６    壁部
４７    肉厚部
【図１】
2010155368.tif 000003
【図２】
2010155368.tif 000004
【図３】
2010155368.tif 000005
【図４】
2010155368.tif 000006
【図５】
2010155368.tif 000007